(57)【要約】【課題】復調信号の最初のパルスから確実にデータを復元することが可能なデータスライス回路を提供する。【解決手段】データスライス回路３は、レベルシフト回路５と基準電圧生成回路６とコンパレータ７とにより構成されている。レベルシフト回路５は、入力信号ＳＩの電圧レベルを一定電圧レベルだけシフトしたレベルシフト電圧ＳＬを生成し、基準電圧生成回路６は、入力信号のピーク電圧及びボトム電圧を分圧した基準電圧ＳＢを生成する。コンパレータ７は、レベルシフト電圧ＳＬと基準電圧ＳＢとを比較した結果を出力する。【選択図】図１
2008236461.tif 000002
【特許請求の範囲】
【請求項１】
復調信号を含む入力信号を２値化して前記復調信号の元となった送信データを復元する
ためのデータスライス回路であって、
前記入力信号の電圧レベルを一定電圧レベルだけシフトしたレベルシフト電圧を生成す
るレベルシフト回路と、
前記入力信号のピーク電圧とボトム電圧との間を分圧した基準電圧を生成する基準電圧
生成回路と、
前記レベルシフト電圧と前記基準電圧とを比較してその比較結果を出力するコンパレー
タと
を備えたことを特徴とするデータスライス回路。
【請求項２】
請求項１に記載のデータスライス回路において、
前記レベルシフト回路は、
前記入力信号の流れに対して順方向に挿入され前記レベルシフト電圧を出力するダイオ
ードと、
前記ダイオードに前記入力信号が常に流れるように接続された抵抗と
を備えたことを特徴とするデータスライス回路。
【請求項３】
請求項１又は２に記載のデータスライス回路において、
前記基準電圧生成回路は、
前記入力信号のピーク電圧を保持するピークホールド回路と、
前記入力信号のボトム電圧を保持するボトムホールド回路と、
前記ピーク電圧及び前記ボトム電圧の中間電圧を生成し前記基準電圧として出力する分
圧回路と
を備えたことを特徴とするデータスライス回路。
【請求項４】
信号を復調する復調回路と、
該復調回路により復調された復調信号を含む入力信号を２値化して前記復調信号の元と
なった送信データを復元するデータスライス回路とを備えたデータ復元回路であって、
前記データスライス回路は、
前記入力信号の電圧レベルを一定電圧レベルだけシフトしたレベルシフト電圧を生成す
るレベルシフト回路と、
前記入力信号のピーク電圧とボトム電圧との間を分圧した基準電圧を生成する基準電圧
生成回路と、
前記レベルシフト電圧と前記基準電圧とを比較してその比較結果を出力するコンパレー
タと
を備えたことを特徴とするデータ復元回路。
【請求項５】
請求項４に記載のデータ復元回路において、
前記レベルシフト回路は、
前記入力信号の流れに対して順方向に挿入され前記レベルシフト電圧を出力するダイオ
ードと、
前記ダイオードに前記入力信号が常に流れるように接続された抵抗と
を備えたことを特徴とするデータ復元回路。
【発明の詳細な説明】
【技術分野】
【０００１】
この発明は、例えば、無線信号を復調した復調信号を２値化してデータを復元するため
のデータスライス回路及びデータ復元回路に関するものである。
【背景技術】
【０００２】
従来、無線信号から情報（送信データ）を復元するデータ復元回路には、無線信号を復
調する復調回路と該復調回路で復調した復調信号を含む入力信号を２値化して出力信号を
出力するデータスライス回路とを備えたものがあり、このデータスライス回路による２値
化の手法として以下のようなものがある。
【０００３】
（１）予め設定した一定の基準電圧と入力信号とを比較して２値化する。
（２）予め入力された入力信号を積分した基準電圧と入力信号とを比較して２値化する
。
【０００４】
（３）予め入力された入力信号のピーク電圧及びボトム電圧の中間電圧と入力信号とを
比較して２値化する（例えば特許文献１参照）。
【特許文献１】特開２００６−８６５７１号公報
【発明の開示】
【発明が解決しようとする課題】
【０００５】
しかしながら、上記（１）の手法は、予め設定した基準電圧と入力信号とを比較するた
め、復調信号の最初のパルスからデータを復元したり０或いは１のデータが連続する波形
の復調信号からデータを復元したりすることができるが、ノイズ等の影響により入力信号
が変動するとデータを復元することができない場合がある。上記（２）の手法は、入力信
号が変動した場合でも上記（１）の手法より精度よく復元することができるが、復調信号
が所定時間入力された後に基準電圧が設定されるため、復調信号が入力される前の状態に
おける出力信号のレベルを確定することができず、復調信号の最初のパルスからデータを
復元することができない。上記（３）の手法は、入力信号が変動したり、０或いは１のデ
ータが連続する場合でもデータを復元することができるが、上記（２）の手法と同様、復
調信号が所定時間入力された後に中間電圧が設定されるため、復調信号の最初のパルスか
らデータを復元することができない。
【０００６】
この発明は、こうした従来の実情に鑑みてなされたものであり、その目的は、復調信号
の最初のパルスから確実にデータを復元することが可能なデータスライス回路及びデータ
復元回路を提供することにある。
【課題を解決するための手段】
【０００７】
本発明のデータスライス回路は、復調信号を含む入力信号を２値化して前記復調信号の
元となった送信データを復元するためのデータスライス回路であって、前記入力信号の電
圧レベルを一定電圧レベルだけシフトしたレベルシフト電圧を生成するレベルシフト回路
と、前記入力信号のピーク電圧とボトム電圧との間を分圧した基準電圧を生成する基準電
圧生成回路と、前記レベルシフト電圧と前記基準電圧とを比較してその比較結果を出力す
るコンパレータとを備える。
【０００８】
この構成によれば、入力信号に復調信号が含まれる前の状態におけるコンパレータの出
力を確定することが可能となり、入力信号に含まれる復調信号の最初のパルスから確実に
データを復元することができる。
【０００９】
また、このデータスライス回路において、前記レベルシフト回路は、前記入力信号の流
れに対して順方向に挿入され前記レベルシフト電圧を出力するダイオードと、前記ダイオ
ードに前記入力信号が常に流れるように接続された抵抗とを備えてもよい。
【００１０】
この構成によれば、ダイオードを入力信号の流れに対して順方向に挿入し、ダイオード
に入力信号が常に流れるように抵抗を接続するだけで、入力信号の電圧レベルをダイオー
ドの順方向電圧分だけシフトしたレベルシフト電圧を生成することができる。よって、例
えば定電圧源が必要な他のレベルシフト回路を用いる場合と比較して、単純で安価な構成
とすることができる。
【００１１】
また、このデータスライス回路において、前記基準電圧生成回路は、前記入力信号のピ
ーク電圧を保持するピークホールド回路と、前記入力信号のボトム電圧を保持するボトム
ホールド回路と、前記ピーク電圧及び前記ボトム電圧の中間電圧を生成し前記基準電圧と
して出力する分圧回路とを備えてもよい。
【００１２】
この構成によれば、分圧回路により、入力信号の変動を加味した基準電圧が生成される
ため、確実にデータを復元することができる。
本発明のデータ復元回路は、信号を復調する復調回路と、該復調回路により復調された
復調信号を含む入力信号を２値化して前記復調信号の元となった送信データを復元するデ
ータスライス回路とを備えたデータ復元回路であって、前記データスライス回路は、前記
入力信号の電圧レベルを一定電圧レベルだけシフトしたレベルシフト電圧を生成するレベ
ルシフト回路と、前記入力信号のピーク電圧とボトム電圧との間を分圧した基準電圧を生
成する基準電圧生成回路と、前記レベルシフト電圧と前記基準電圧とを比較してその比較
結果を出力するコンパレータとを備える。
【００１３】
この構成によれば、入力信号に復調信号が含まれる前の状態におけるコンパレータの出
力を確定することが可能となり、入力信号に含まれる復調信号の最初のパルスから確実に
データを復元することができる。
【００１４】
また、このデータ復元回路において、前記レベルシフト回路は、前記入力信号の流れに
対して順方向に挿入され前記レベルシフト電圧を出力するダイオードと、前記ダイオード
に前記入力信号が常に流れるように接続された抵抗とを備えてもよい。
【００１５】
この構成によれば、ダイオードを入力信号の流れに対して順方向に挿入し、ダイオード
に入力信号が常に流れるように抵抗を接続するだけで、入力信号の電圧レベルをダイオー
ドの順方向電圧分だけシフトしたレベルシフト電圧を生成することができる。よって、例
えば定電圧源が必要な他のレベルシフト回路を用いる場合と比較して、単純で安価な構成
とすることができる。
【発明を実施するための最良の形態】
【００１６】
以下、この発明を具体化した一実施の形態を図面に従って説明する。
本実施の形態のデータ復元回路１は、例えば電子ペーパーや液晶ディスプレイ等の表示
装置に内蔵され、ホストコンピュータ等の送信機から送信された無線信号を受信して該無
線信号の元となった画像データ等の送信データを含む送信信号ＳＤ（図２及び図３参照）
を復元するものである。
【００１７】
図１に示すように、データ復元回路１の復調回路２には、ホストコンピュータ等の送信
機（図示略）から送信された無線信号を受信する受信アンテナ４が接続されている。復調
回路２は、該受信アンテナ４が受信した無線信号を復調し、この復調した復調信号を含む
入力信号ＳＩをデータスライス回路３に出力する。
【００１８】
入力信号ＳＩは、データスライス回路３のレベルシフト回路５を構成するダイオードＤ
１のアノードに供給される。ダイオードＤ１は、例えばＰＮ接合ダイオードやショットキ
ーバリアダイオードであり、カソードは抵抗Ｒ１を介して接地されている。ダイオードＤ
１のカソードと抵抗Ｒ１との間のノードには、コンパレータ７の入力端子が接続されてい
る。従って、レベルシフト回路５は、入力信号ＳＩの電圧レベルをダイオードＤ１の順方
向電圧Ｖｔｈ分だけシフト（降下）したレベルシフト電圧ＳＬを生成し、そのレベルシフ
ト電圧ＳＬをダイオードＤ１のカソードと抵抗Ｒ１の第１端子との間のノードから出力す
る。このレベルシフト電圧ＳＬは、コンパレータ７の非反転入力端子に供給される。
【００１９】
また、入力信号ＳＩは、基準電圧生成回路６のピークホールド回路８を構成するダイオ
ードＤ２のアノードに供給される。ダイオードＤ２は、例えばＰＮ接合ダイオードやショ
ットキーバリアダイオードであり、カソードはコンデンサＣ１に接続されている。コンデ
ンサＣ１は、第１端子が前記ダイオードＤ２に接続され、第２端子が接地されている。従
って、ピークホールド回路８は、コンデンサＣ１に入力信号ＳＩの最大電圧（ピーク電圧
）Ｖｐを保持し、そのピーク電圧ＶｐをダイオードＤ２のカソードとコンデンサＣ１の第
１端子との間のノードから出力する。
【００２０】
また、入力信号ＳＩは、基準電圧生成回路６のボトムホールド回路９を構成するダイオ
ードＤ３のカソードに供給される。ダイオードＤ３は、例えばＰＮ接合ダイオードやショ
ットキーバリアダイオードであり、アノードはコンデンサＣ２に接続されている。コンデ
ンサＣ２は、第１端子が前記ダイオードＤ３に接続され、第２端子が接地されている。従
って、ボトムホールド回路９は、コンデンサＣ２に入力信号ＳＩの最小電圧（ボトム電圧
）Ｖｂを保持し、そのボトム電圧ＶｂをダイオードＤ３のアノードとコンデンサＣ２の第
１端子との間のノードから出力する。
【００２１】
上記ピーク電圧Ｖｐ及びボトム電圧Ｖｂは、分圧回路１０に供給される。ピーク電圧Ｖ
ｐは、分圧回路１０を構成する第１分圧抵抗Ｒ２の第１端子に供給され、第１分圧抵抗Ｒ
２の第２端子は第２分圧抵抗Ｒ３の第１端子に接続され、第２分圧抵抗Ｒ３の第２端子に
はボトム電圧Ｖｂが供給される。分圧回路１０は、第１分圧抵抗Ｒ２と第２分圧抵抗Ｒ３
の抵抗値によりピーク電圧Ｖｐとボトム電圧Ｖｂとの間を分圧した分圧電圧を基準電圧Ｓ
Ｂとして出力する。尚、本実施の形態において、第１分圧抵抗Ｒ２の抵抗値と第２分圧抵
抗Ｒ３の抵抗値は同じ値に設定されているため、分圧回路１０は、ピーク電圧Ｖｐとボト
ム電圧Ｖｂとの中間電圧を基準電圧ＳＢとして出力する。この基準電圧ＳＢは、コンパレ
ータ７の反転入力端子に供給される。
【００２２】
尚、ピークホールド回路８は、第１及び第２分圧抵抗Ｒ２，Ｒ３の抵抗値及びコンデン
サＣ１，Ｃ２の容量により決定される時定数に応じた速さで、コンデンサＣ１に蓄積した
電荷を放電し、該コンデンサＣ１が放電した電荷は、ボトムホールド回路９のコンデンサ
Ｃ２に蓄積される。従って、ピークホールド回路８は、入力信号ＳＩの最大電圧が変動す
る度に該最大電圧に応じた新たなピーク電圧Ｖｐを出力し、ボトムホールド回路９は、入
力信号ＳＩの最小電圧が変動する度に該最小電圧に応じた新たなボトム電圧Ｖｂを出力す
る。
【００２３】
このように構成されたデータ復元回路１の作用を図２及び図３を用いて説明する。
無線信号を受信する前（入力信号ＳＩに復調信号が含まれる前）の状態において、レベ
ルシフト回路５は、入力信号ＳＩの電圧レベルを一定電圧レベルＶｔｈだけシフト（降下
）したレベルシフト電圧ＳＬを出力する。このとき、ピークホールド回路８のピーク電圧
Ｖｐ及びボトムホールド回路９のボトム電圧Ｖｂは、入力信号ＳＩの電圧レベルと略等し
くなり、分圧回路１０は、入力信号ＳＩの電圧レベルと略等しい分圧電圧を基準電圧ＳＢ
として出力する。従って、図２に示すように、受信アンテナ４が無線信号を受信する前の
期間Ｔ１において、コンパレータ７は、ロウレベルの出力信号ＳＯを常に出力する。
【００２４】
受信アンテナ４を介して無線信号を受信すると、復調回路２からデータスライス回路３
に復調信号が入力される。復調信号の最初のパルスの入力に伴い、入力信号ＳＩの電圧レ
ベルが上昇すると、レベルシフト回路５は、入力信号ＳＩの電圧レベルよりもダイオード
Ｄ１の順方向電圧Ｖｔｈ分だけ低いレベルシフト電圧ＳＬを出力する。このとき、ピーク
ホールド回路８のダイオードＤ２に電流が流れ、コンデンサＣ１が保持するピーク電圧Ｖ
ｐは上昇する。一方、ボトムホールド回路９のダイオードＤ３に電流は流れないため、コ
ンデンサＣ２が保持するボトム電圧Ｖｂは、復調信号が入力される前の状態に保持される
。従って、分圧回路１０は、レベルシフト電圧ＳＬよりも低い分圧電圧（ピーク電圧Ｖｐ
とボトム電圧Ｖｂとの中間電圧）を基準電圧ＳＢとして出力し、コンパレータ７は、ハイ
レベルの出力信号ＳＯを出力する。よって、入力信号ＳＩに含まれる復調信号の最初のパ
ルスからデータが復元される。
【００２５】
また、ピークホールド回路８は、入力信号ＳＩの最大電圧が変動する度に該最大電圧に
応じた新たなピーク電圧Ｖｐを出力し、ボトムホールド回路９は、入力信号ＳＩの最小電
圧が変動する度に該最小電圧に応じた新たなボトム電圧Ｖｂを出力しており、分圧回路１
０は、入力信号ＳＩの変動に応じた基準電圧ＳＢを出力する。従って、図３に示すように
、ノイズの影響等により入力信号ＳＩが変動した場合でもデータが復元される。
【００２６】
次に、上記実施の形態の作用効果を以下に記載する。
（１）レベルシフト回路５は、入力信号ＳＩの電圧レベルを一定電圧レベルだけシフト
したレベルシフト電圧ＳＬを生成し、基準電圧生成回路６は、入力信号ＳＩのピーク電圧
Ｖｐとボトム電圧Ｖｂとの間を分圧した基準電圧ＳＢを生成する。そして、コンパレータ
７は、レベルシフト電圧ＳＬと基準電圧ＳＢとを比較してその比較結果を出力する。よっ
て、入力信号ＳＩに復調信号が含まれる前の状態におけるコンパレータ７の出力を確定す
ることが可能となり、入力信号ＳＩに含まれる復調信号の最初のパルスから確実にデータ
を復元することができる。
【００２７】
（２）ダイオードＤ１を入力信号ＳＩの流れに対して順方向に挿入し、ダイオードＤ１
に入力信号ＳＩが常に流れるように抵抗Ｒ１を接続するだけで、入力信号ＳＩの電圧レベ
ルをダイオードＤ１の順方向電圧Ｖｔｈ分だけシフトしたレベルシフト電圧ＳＬを生成す
ることができる。よって、例えば定電圧源が必要な他のレベルシフト回路を用いる場合と
比較して、単純で安価な構成とすることができる。
【００２８】
（３）分圧回路１０により、入力信号ＳＩの変動を加味した基準電圧ＳＢが生成される
ため、入力信号ＳＩに含まれる復調信号が変動した場合でも確実にデータを復元すること
ができる。
【００２９】
（４）入力信号ＳＩに含まれる復調信号の最初のパルスから確実にデータを復元するこ
とができるため、復調信号の元となる無線信号の送信時間を短くすることが可能となり、
通信に必要な時間を短くすることができる。
【００３０】
なお、上記実施の形態では、以下の態様に変更した変形例を採用してもよい。
・上記実施の形態では、データ復元回路１は、電子ペーパ等の薄型の液晶ディスプレイ
に内蔵され、画像データ等の送信データを復元するものとしたが、このような態様に限定
されず、例えば、リモコン等から送信されるＩＤを受信するエンジンスターターの受信機
等、送受信されるデータが短い送受信機に搭載してもよい。また、通信頻度の高い送受信
機の受信機や、複数の送信機から送信される無線信号を受信する受信機に搭載され、デー
タを復元するものてもよい。
【図面の簡単な説明】
【００３１】
【図１】本実施の形態のデータ復元回路のブロック図。
【図２】本実施の形態のデータスライス回路の効果を説明するための波形図。
【図３】本実施の形態のデータスライス回路の効果を説明するための波形図。
【符号の説明】
【００３２】
１…データ復元回路、２…復調回路、３…データスライス回路、５…レベルシフト回路
、６…基準電圧生成回路、７…コンパレータ、８…ピークホールド回路、９…ボトムホー
ルド回路、１０…分圧回路、Ｄ１…ダイオード、Ｒ１…抵抗、ＳＢ…基準電圧、ＳＩ…入
力信号、ＳＬ…レベルシフト電圧、ＳＯ…出力信号、Ｖｂ…ボトム電圧、Ｖｐ…ピーク電
圧。
【図１】
2008236461.tif 000003
【図２】
2008236461.tif 000004
【図３】
2008236461.tif 000005